(57)【要約】【課題】セルラ通信インタフェースと無線ＬＡＮインタフェースとを有する移動端末が、低消費電力で呼接続を待ち受けることができる方法等を提供する。【解決手段】移動端末が、無線ＬＡＮ通信ネットワークを介して構内ＳＩＰサーバへ、電源オフ状態を含むREGISTERを送信し、無線ＬＡＮインタフェースの電源をオフにする。その後、構内ＳＩＰサーバが、セルラ通信ネットワークを介して発呼端末からの着呼を受け付けた際に、当該着呼の呼接続を保留する。次に、構内ＳＩＰサーバは、セルラ通信ネットワークを介して移動端末へ発呼し、移動端末が、無線ＬＡＮインタフェースの電源をオンにする。そして、移動端末が、無線ＬＡＮインタフェースを介して構内ＳＩＰサーバへ、電源オン状態を含むREGISTERを送信し、構内ＳＩＰサーバが、保留している呼接続を解除し、移動端末と発呼端末との間で呼接続させる。【選択図】図３
2010021661.tif 000002
【特許請求の範囲】
【請求項１】
広域通信ネットワークに相互接続された構内ＬＡＮに配置される構内交換装置と、
前記広域通信ネットワークに接続する広域通信インタフェース及び前記構内ＬＡＮに接続する無線ＬＡＮインタフェースを有する移動端末と
を有するシステムにおける着呼待受方法であって、
前記移動端末が、前記無線ＬＡＮインタフェースを用いて前記構内ＬＡＮを介して前記構内交換装置へ、前記無線ＬＡＮインタフェースの電源オフ状態を含む登録要求を送信し、前記無線ＬＡＮインタフェースの電源をオフにする第１のステップと、
前記構内交換装置が、前記広域通信ネットワークを介して発呼端末からの着呼を受け付け、当該着呼の呼接続を保留する第２のステップと、
前記構内交換装置が、前記広域通信ネットワークを介して前記移動端末へ発呼する第３のステップと、
前記移動端末が、前記広域通信ネットワークを介して前記広域通信インタフェースによって当該呼を受け付け、前記無線ＬＡＮインタフェースの電源をオンにする第４のステップと、
前記移動端末が、前記無線ＬＡＮインタフェースを介して前記構内交換装置へ、前記無線ＬＡＮインタフェースの電源オン状態を含む登録要求を送信する第５のステップと、
前記構内交換装置が、保留している呼接続を解除し、前記移動端末と前記発呼端末との間で前記構内ＬＡＮを介して呼接続させる第６のステップと
を有することを特徴とする着呼待受方法。
【請求項２】
前記構内交換装置は、ＳＩＰ(Session Initiation Protocol)サーバであり、
前記登録要求は、SIP REGISTERメソッドであり、
前記電源オン状態及び前記電源オフ状態は、Expiresヘッダの数値又はContactヘッダのexpiresパラメータに記述される
ことを特徴とする請求項１に記載の着呼待受方法。
【請求項３】
第３のステップ及び第４のステップにおける前記呼は、ショートメッセージによるセンタープッシュによって送信されることを特徴とする請求項１又は２に記載の着呼待受方法。
【請求項４】
前記構内交換装置は、第２のステップで前記着呼を保留しているにも拘わらず、所定時間以上、第５のステップにおける前記移動端末からの電源オン状態を含む登録要求を受信できなかった場合、前記広域通信ネットワークを介して前記移動端末へ発呼するか、予め規定された留守番電話制御を実行するか、又は音声案内を実行することを特徴とする請求項１から３のいずれか１項に記載の着呼待受方法。
【請求項５】
第１のステップは、前記移動端末が前記無線ＬＡＮインタフェースを用いて前記構内ＬＡＮに接続可能となった場合、前記移動端末に対する利用者の操作によって実行されることを特徴とする請求項１から４のいずれか１項に記載の着呼待受方法。
【請求項６】
広域通信ネットワークに相互接続された構内ＬＡＮに配置される構内交換装置であって、
移動端末から、前記構内ＬＡＮを介して、前記無線ＬＡＮインタフェースの電源オフ／オン状態を含む登録要求を受信する登録要求受信手段と、
発呼端末からの着呼を受け付ける着呼受付手段と、
前記登録要求が電源オフ状態を含む場合、当該着呼を保留し、前記登録要求が電源オン状態を含む場合、保留している着呼を解除する着呼保留手段と、
前記着呼を保留した際に、前記広域通信ネットワークを介して前記移動端末へ発呼する発呼手段と、
前記着呼の保留を解除した際に、前記移動端末と前記発呼端末との間で前記構内ＬＡＮを介して呼接続させる呼接続手段と
を有することを特徴とする構内交換装置。
【請求項７】
前記構内交換装置は、ＳＩＰサーバであり、
前記登録要求は、SIP REGISTERメソッドであり、
前記電源オン状態及び前記電源オフ状態は、Expiresヘッダの数値又はContactヘッダのexpiresパラメータに記述される
ことを特徴とする請求項６に記載の構内交換装置。
【請求項８】
前記発呼手段は、ショートメッセージによるセンタープッシュによって呼を送信することを特徴とする請求項６又は７に記載の構内交換装置。
【請求項９】
前記着呼保留手段は、前記着呼を保留した後、所定時間以上、前記移動端末から前記電源オン状態を含む登録要求を受信しなかった場合、着呼不可と判定し、
前記着呼不可と判定された際に、前記広域通信ネットワークを介して前記移動端末へ発呼するか、予め規定された留守番電話制御を実行するか、又は、音声案内を実行する着呼不可処理手段を更に有することを特徴とする請求項６から８のいずれか１項に記載の構内交換装置。
【請求項１０】
請求項６から９のいずれか１項に記載の構内交換装置と通信可能な前記移動端末であって、
前記広域通信ネットワークに接続する広域通信インタフェースと、
前記構内ＬＡＮに接続する無線ＬＡＮインタフェースと、
前記無線ＬＡＮインタフェースの電源をオン／オフする電源制御手段と、
前記広域通信ネットワークを介して前記広域通信インタフェースによって前記構内交換装置から当該呼を受け付ける着呼受付手段と、
前記無線ＬＡＮインタフェースを用いて前記無線ＬＡＮインタフェースの電源オン／オフ状態を含む登録要求を前記構内交換装置へ送信する登録要求送信手段と、
前記構内ＬＡＮに接続可能となった際に、前記無線ＬＡＮインタフェースの電源オフを利用者に操作させるユーザインタフェース手段と、
前記ユーザインタフェース手段に電源オフが操作された際に、前記登録要求送信手段へ前記無線ＬＡＮインタフェースの電源オフ状態を含む登録要求を送信するべく指示し、前記電源制御手段へ前記無線ＬＡＮインタフェースの電源オフを指示する電源オフ指示手段と、
前記着呼受付手段が当該呼を受け付けた際に、前記電源制御手段へ電源オンを指示する電源オン指示手段と
を有することを特徴とする移動端末。
【請求項１１】
広域通信ネットワークに相互接続された構内ＬＡＮに配置されるサーバに搭載されたコンピュータを機能させる構内交換用のプログラムであって、
移動端末から、前記構内ＬＡＮを介して、無線ＬＡＮインタフェースの電源オフ／オン状態を含む登録要求を受信する登録要求受信手段と、
発呼端末からの着呼を受け付ける着呼受付手段と、
前記登録要求が前記無線ＬＡＮインタフェースの電源オフ状態を含む場合、当該着呼を保留し、前記登録要求が前記無線ＬＡＮインタフェースの電源オン状態を含む場合、保留している着呼を解除する着呼保留手段と、
前記着呼を保留した際に、前記広域通信ネットワークを介して前記移動端末へ発呼する発呼手段と、
前記着呼の保留を解除した際に、前記移動端末と前記発呼端末との間で前記構内ＬＡＮを介して呼接続させる呼接続手段と
してコンピュータを機能させることを特徴とする構内交換用のプログラム。
【請求項１２】
請求項６から９のいずれか１項に記載の構内交換装置と通信可能な前記移動端末であって、前記広域通信ネットワークに接続する広域通信インタフェースと、前記構内ＬＡＮに接続する無線ＬＡＮインタフェースとを有する前記移動端末に搭載されたコンピュータを機能させるプログラムであって、
前記無線ＬＡＮインタフェースの電源をオン／オフする電源制御手段と、
前記広域通信ネットワークを介して前記広域通信インタフェースによって前記構内交換装置から当該呼を受け付ける着呼受付手段と、
前記無線ＬＡＮインタフェースを用いて前記無線ＬＡＮインタフェースの電源オン／オフ状態を含む登録要求を前記構内交換装置へ送信する登録要求送信手段と、
前記構内ＬＡＮに接続可能となった際に、前記無線ＬＡＮインタフェースの電源オフを利用者に操作させるユーザインタフェース手段と、
前記ユーザインタフェース手段に電源オフが操作された際に、前記登録要求送信手段へ前記無線ＬＡＮインタフェースの電源オフ状態を含む登録要求を送信するべく指示し、前記電源制御手段へ電源オフを指示する電源オフ指示手段と、
前記着呼受付手段が当該呼を受け付けた際に、前記電源制御手段へ前記無線ＬＡＮインタフェースの電源オンを指示する電源オン指示手段と
してコンピュータを機能させることを特徴とする移動端末用のプログラム。
【発明の詳細な説明】
【技術分野】
【０００１】
本発明は、低消費電力で着呼を待ち受ける方法、構内交換装置、移動端末及びプログラムに関する。特に、呼接続を待ち受ける移動端末が、広域通信インタフェースと無線ＬＡＮインタフェースとを有する携帯電話機である。
【背景技術】
【０００２】
広域通信として携帯電話網（又はＰＨＳ(Personal Handyphone System)網）が普及し、局所通信としてＩＥＥＥ８０２．１１ａ／ｂ／ｇに代表される無線ＬＡＮが普及している。このような通信環境に対応して、移動端末（携帯電話機、携帯端末(ＰＤＡ：Personal
Digital Assistant)及びパーソナルコンピュータを含む）が、携帯電話網通信インタフェースと、無線ＬＡＮインタフェースとの両方を備えたものも普及してきている。このような移動端末は、屋外では携帯電話網を利用し、構内では無線ＬＡＮを利用することができる。通信方式自体も、将来的には、ＷｉＭＡＸ(Worldwide Interoperability for Microwave Access)、ＬＴＥ(Long Term Evolution)、又はＵＭＢ(Ultra Mobile Broadband)のような多種多様な方式が提供されると予想される。
【０００３】
ここで、移動端末には、その連続使用時間に直結する消費電力の低減が常に問題となる。Ｗｅｂブラウジングのようなアプリケーションでは、ユーザの操作に応じて、必要時に、適切な通信インタフェースの電源をオンにすればよい。しかしながら、音声通話のように相手方端末からの着呼を待つようなアプリケーションでは、その通信インタフェースの電源を常にオンにしておかなければならない。特に、構内で利用できる無線ＬＡＮインタフェースによる消費電力は、携帯且つ小型の移動端末にとっては、そのバッテリの容量から無視できないものである。従って、移動端末が、複数の通信インタフェースの電源を常にオンにしておくことは、消費電力の低減の観点からは望ましくない。
【０００４】
第１に、複数の通信インタフェースについて、電力消費の大きい無線ＬＡＮインタフェースの電源をオフにし、携帯電話網通信インタフェースだけは常にオンにしておく技術がある（例えば特許文献１及び２参照）。この技術によれば、移動端末は、相手方端末からの呼を、常に、携帯電話網を介して携帯電話網通信インタフェースによって着呼する。この時、この移動端末は、無線ＬＡＮインタフェースの電源をオンにし、無線ＬＡＮインタフェースを用いて無線ＬＡＮを介して相手方端末へコールバック（発呼）する。これによって、呼接続の待ち受け時に、無線ＬＡＮインタフェースの電源をオフにしておくことによって、消費電力の低減を実現している。
【０００５】
第２に、移動端末が備える複数の通信インタフェースのうち、着呼を希望する通信インタフェースを、通信事業者網の設備装置に予め登録する技術もある（例えば特許文献３参照）。この移動端末は、登録した通信インタフェース以外の通信インタフェースの電源をオフにする。その移動端末に対する着呼は、通信事業者網の設備装置によって、常に、登録される通信インタフェースは着呼する。これによって、呼接続の待ち受け時に、無線ＬＡＮインタフェースの電源をオフにしておくことによって、消費電力の低減を実現している。
【０００６】
【特許文献１】特開２００５−１０９８５０号公報
【特許文献２】特開２００６−０２５００９号公報
【特許文献３】特開２００８−０３５４２０号公報
【発明の開示】
【発明が解決しようとする課題】
【０００７】
前述した従来技術によれば、複数の通信インタフェースを備えた移動端末について、単一の通信インタフェースの電源のみをオンにするものである。
【０００８】
しかしながら、特許文献１及び２に記載された技術によれば、着呼端末が発呼端末へコールバックするために、第１に課金の問題と、第２に呼切断の問題とがある。第１の課金の問題について、通話時の課金体系は、一般的に、発呼者に課金されるが、コールバックをすることによって、着呼者に課金されてしまう。第２の呼切断の問題について、コールバックをすることによって、最初の呼が切断されてしまう。特に、特許文献１に記載された技術が想定しているパケット通信網では、低速な携帯電話網を経由した切断のシグナリングよりも、高速な無線ＬＡＮを経由したコールバックのシグナリングの方が、逆転して先に到達する可能性がある。この場合、切断前の呼が残存しているために、コールバックの呼を確立することはできない。また、第１の問題及び第２の問題のいずれについても、最初の呼を切断してからコールバックによって呼を再確立するまでの間に、発呼端末に対して第三者から別の着呼があった場合、その第三者の通話が優先して呼接続され、結局、コールバックがブロックされるという問題もある。
【０００９】
また、特許文献３に記載された技術によれば、移動端末ついて予め登録された通信インタフェースに対して全ての呼が転送される。前述したように、携帯電話網通信インタフェースと無線ＬＡＮインタフェースとを有する移動端末が構内に存在する場合、消費電力の低減の観点からは、携帯電話網通信インタフェースが選択（登録）されることとなる。無線ＬＡＮインタフェースの消費電力が大きいために、全ての着呼を携帯電話網に経由させることによって、消費電力は低減される。しかし、無線ＬＡＮの高速通信を用いた、高品質音声コーデックに基づく通話や、高画質のテレビ電話を実行するには、常に無線ＬＡＮインタフェースを選択しておく必要がある。
【００１０】
そこで、本発明は、広域通信インタフェースと無線ＬＡＮインタフェースとを有する移動端末が、低消費電力で呼接続を待ち受けることができる方法、構内交換装置、移動端末及びプログラムを提供することを目的とする。
【課題を解決するための手段】
【００１１】
本発明によれば、広域通信ネットワークに相互接続された構内ＬＡＮに配置される構内交換装置と、
広域通信ネットワークに接続する広域通信インタフェース及び構内ＬＡＮに接続する無線ＬＡＮインタフェースを有する移動端末と
を有するシステムにおける着呼待受方法であって、
移動端末が、無線ＬＡＮインタフェースを用いて構内ＬＡＮを介して構内交換装置へ、無線ＬＡＮインタフェースの電源オフ状態を含む登録要求を送信し、無線ＬＡＮインタフェースの電源をオフにする第１のステップと、
構内交換装置が、広域通信ネットワークを介して発呼端末からの着呼を受け付け、当該着呼の呼接続を保留する第２のステップと、
構内交換装置が、広域通信ネットワークを介して移動端末へ発呼する第３のステップと、
移動端末が、広域通信ネットワークを介して広域通信インタフェースによって当該呼を受け付け、無線ＬＡＮインタフェースの電源をオンにする第４のステップと、
移動端末が、無線ＬＡＮインタフェースを介して構内交換装置へ、無線ＬＡＮインタフェースの電源オン状態を含む登録要求を送信する第５のステップと、
構内交換装置が、保留している呼接続を解除し、移動端末と発呼端末との間で構内ＬＡＮを介して呼接続させる第６のステップと
を有することを特徴とする。
【００１２】
本発明の着呼待受方法における他の実施形態によれば、
構内交換装置は、ＳＩＰ(Session Initiation Protocol)サーバであり、
登録要求は、SIP REGISTERメソッドであり、
電源オン状態及び電源オフ状態は、Expiresヘッダの数値又はContactヘッダのexpiresパラメータに記述されることも好ましい。
【００１３】
本発明の着呼待受方法における他の実施形態によれば、第３のステップ及び第４のステップにおける呼は、ショートメッセージによるセンタープッシュによって送信されることも好ましい。
【００１４】
本発明の着呼待受方法における他の実施形態によれば、構内交換装置は、第２のステップで着呼を保留しているにも拘わらず、所定時間以上、第５のステップにおける移動端末からの電源オン状態を含む登録要求を受信できなかった場合、広域通信ネットワークを介して移動端末へ発呼するか、予め規定された留守番電話制御を実行するか、又は音声案内を実行することも好ましい。
【００１５】
本発明の着呼待受方法における他の実施形態によれば、第１のステップは、移動端末が無線ＬＡＮインタフェースを用いて構内ＬＡＮに接続可能となった場合、移動端末に対する利用者の操作によって実行されることも好ましい。
【００１６】
本発明によれば、広域通信ネットワークに相互接続された構内ＬＡＮに配置される構内交換装置であって、
移動端末から、構内ＬＡＮを介して、無線ＬＡＮインタフェースの電源オフ／オン状態を含む登録要求を受信する登録要求受信手段と、
発呼端末からの着呼を受け付ける着呼受付手段と、
登録要求が無線ＬＡＮインタフェースの電源オフ状態を含む場合、当該着呼を保留し、登録要求が無線ＬＡＮインタフェースの電源オン状態を含む場合、保留している着呼を解除する着呼保留手段と、
着呼を保留した際に、広域通信ネットワークを介して移動端末へ発呼する発呼手段と、
着呼の保留を解除した際に、移動端末と発呼端末との間で構内ＬＡＮを介して呼接続させる呼接続手段と
を有することを特徴とする。
【００１７】
本発明の構内交換装置における他の実施形態によれば、
構内交換装置は、ＳＩＰサーバであり、
登録要求は、SIP REGISTERメソッドであり、
電源オン状態及び電源オフ状態は、Expiresヘッダの数値又はContactヘッダのexpiresパラメータに記述されることも好ましい。
【００１８】
本発明の構内交換装置における他の実施形態によれば、発呼手段は、ショートメッセージによるセンタープッシュによって呼を送信することも好ましい。
【００１９】
本発明の構内交換装置における他の実施形態によれば、
着呼保留手段は、着呼を保留した後、所定時間以上、移動端末から無線ＬＡＮインタフェースの電源オン状態を含む登録要求を受信しなかった場合、着呼不可と判定し、
着呼不可と判定された際に、広域通信ネットワークを介して移動端末へ発呼するか、予め規定された留守番電話制御を実行するか、又は音声案内を実行する着呼不可処理手段を更に有することも好ましい。
【００２０】
本発明によれば、前述した構内交換装置と通信可能な移動端末であって、
広域通信ネットワークに接続する広域通信インタフェースと、
構内ＬＡＮに接続する無線ＬＡＮインタフェースと、
無線ＬＡＮインタフェースの電源をオン／オフする電源制御手段と、
広域通信ネットワークを介して広域通信インタフェースによって構内交換装置から当該呼を受け付ける着呼受付手段と、
無線ＬＡＮインタフェースを用いて無線ＬＡＮインタフェースの電源オン／オフ状態を含む登録要求を構内交換装置へ送信する登録要求送信手段と、
構内ＬＡＮに接続可能となった際に、無線ＬＡＮインタフェースの電源オフを利用者に操作させるユーザインタフェース手段と、
ユーザインタフェース手段に電源オフが操作された際に、登録要求送信手段へ無線ＬＡＮインタフェースの電源オフ状態を含む登録要求を送信するべく指示し、電源制御手段へ無線ＬＡＮインタフェースの電源オフを指示する電源オフ指示手段と、
着呼受付手段が当該呼を受け付けた際に、電源制御手段へ電源オンを指示する電源オン指示手段と
を有することを特徴とする。
【００２１】
本発明によれば、広域通信ネットワークに相互接続された構内ＬＡＮに配置されるサーバに搭載されたコンピュータを機能させる構内交換用のプログラムであって、
移動端末から、構内ＬＡＮを介して、無線ＬＡＮインタフェースの電源オフ／オン状態を含む登録要求を受信する登録要求受信手段と、
発呼端末からの着呼を受け付ける着呼受付手段と、
登録要求が無線ＬＡＮインタフェースの電源オフ状態を含む場合、当該着呼を保留し、登録要求が無線ＬＡＮインタフェースの電源オン状態を含む場合、保留している着呼を解除する着呼保留手段と、
着呼を保留した際に、広域通信ネットワークを介して移動端末へ発呼する発呼手段と、
着呼の保留を解除した際に、移動端末と発呼端末との間で構内ＬＡＮを介して呼接続させる呼接続手段と
してコンピュータを機能させることを特徴とする。
【００２２】
本発明によれば、前述した構内交換装置と通信可能な移動端末であって、広域通信ネットワークに接続する広域通信インタフェースと、構内ＬＡＮに接続する無線ＬＡＮインタフェースとを有する移動端末に搭載されたコンピュータを機能させるプログラムであって、
無線ＬＡＮインタフェースの電源をオン／オフする電源制御手段と、
広域通信ネットワークを介して広域通信インタフェースによって構内交換装置から当該呼を受け付ける着呼受付手段と、
無線ＬＡＮインタフェースを用いて無線ＬＡＮインタフェースの電源オン／オフ状態を含む登録要求を構内交換装置へ送信する登録要求送信手段と、
構内ＬＡＮに接続可能となった際に、無線ＬＡＮインタフェースの電源オフを利用者に操作させるユーザインタフェース手段と、
ユーザインタフェース手段に電源オフが操作された際に、登録要求送信手段へ無線ＬＡＮインタフェースの電源オフ状態を含む登録要求を送信するべく指示し、電源制御手段へ電源オフを指示する電源オフ指示手段と、
着呼受付手段が当該呼を受け付けた際に、電源制御手段へ無線ＬＡＮインタフェースの電源オンを指示する電源オン指示手段と
してコンピュータを機能させることを特徴とする。
【発明の効果】
【００２３】
本発明の着呼待受方法、構内交換装置、移動端末及びプログラムによれば、移動端末は、無線ＬＡＮインタフェースの電源をオフにしていても、着呼時にその電源をオンにすることができるので、低消費電力で呼接続を待ち受けることができる。
【発明を実施するための最良の形態】
【００２４】
以下では、図面を用いて、本発明を実施するための最良の形態について詳細に説明する。
【００２５】
図１は、本発明におけるシステム構成図である。
【００２６】
図１によれば、屋内に、構内ＬＡＮ１が構成されており、ＩＰ−ＰＢＸ(Internet Protocol - Private Branch Exchange)（構内ＳＩＰサーバ）１０と、ルータ１１と、メディアゲートウェイ１２と、ＤＨＣＰ(Dynamic Host Configuration Protocol)サーバ１３と、アクセスポイント１４とが接続されている。また、着呼端末となる移動端末２０は、セルラ（広域）通信ネットワークに接続するセルラ通信インタフェースと、無線ＬＡＮ通信ネットワークに接続する無線ＬＡＮインタフェースとを有する。移動端末２０は、無線リンクを介して無線アクセスポイント１４と通信し、構内ＬＡＮ１に接続することができる。
【００２７】
ＩＰ−ＰＢＸ１０は、ＩＰネットワークにおけるＩＰ電話端末の回線交換機として機能し、企業又は宅内等の組織内ＬＡＮにおけるＩＰ電話の内線電話網を実現する。特に、ＩＰ−ＰＢＸは、広域通信ネットワークのＷＡＮと、ＬＡＮとの間の回線交換機能も有する。尚、ＩＰ−ＰＢＸ１は、端末からの発呼要求を受け付けるために、構内交換装置としてのＳＩＰサーバである。
【００２８】
ルータ１１は、広域通信ネットワークであるインターネット２と、構内ＬＡＮ１とを相互接続する。また、メディアゲートウェイ１２は、広域通信ネットワークである公衆回線網２と、構内ＬＡＮである構内ＬＡＮとを相互接続する。
【００２９】
ＤＨＣＰサーバ１３は、移動端末（ＤＨＣＰクライアント）からアドレス取得要求を受信した際に、ＩＰアドレス及び設定情報を応答するものであり、ネットワークの自動設定のためのサーバである。アドレス応答には、ＩＰアドレスの有効期間を表すリース期間も含まれている。このリース期間内に、移動端末は、アドレス更新要求を、再度、ＤＨＣＰサーバ１３へ送信する必要がある。
【００３０】
また、図１によれば、屋外に、広域通信ネットワーク２が構成されており、発呼端末２１と、センタプッシュサーバ２２とが接続されている。勿論、発呼端末２１が屋内の構内ＬＡＮ１に接続されていてもよい。広域通信ネットワーク２は、携帯電話網（セルラ通信網）、インターネット又は公衆回線網のような通信網である。センタプッシュサーバ２２は、携帯電話網を介して、移動端末へ、ショートメッセージを同時に送信するメールプッシュ装置である。
【００３１】
図２は、本発明における登録シーケンス図である。
【００３２】
図２によれば、移動端末２０を所持した利用者が、構内ＬＡＮ１と接続可能な屋内へ移動したとする。このとき、利用者は、無線ＬＡＮインタフェースが使用可能な位置に移動したことを、移動端末２０に設定するべく操作する。このとき、移動端末２０は、最初に、無線ＬＡＮインタフェースの電源をオンにする。
【００３３】
（Ｓ２０１）移動端末２０は、構内ＬＡＮ１に接続されたアクセスポイント１４を発見し、無線アソシエーションによって無線リンクを確立する。
（Ｓ２０２）移動端末２０は、アクセスポイント１４を介して、ＤＨＣＰサーバ１３へ、アドレス取得要求を送信し、その応答としてアドレスを取得する。このとき、移動端末２０は、ＤＨＣＰのリース期間も取得する。移動端末２０は、ＤＨＣＰリース期間のためのタイマを起動し、時間を計測する。
【００３４】
（Ｓ２０３）移動端末２０は、アクセスポイント１４を介して、ＩＰ−ＰＢＸ１０へ、「無線ＬＡＮインタフェースの電源オフ状態」を含む「登録要求」を送信する。本発明によれば、屋内に位置し、アクセスポイント１４と通信可能であっても、無線ＬＡＮインタフェースの電源をオフにすることによって、消費電力を低減する。
【００３５】
ＩＰ−ＰＢＸ１０は、構内交換装置としてのＳＩＰサーバであるので、「登録要求」は、例えばSIP REGISTERメソッドである。ここで、既存のSIP REGISTERメソッドとの互換性を確保するために、「無線ＬＡＮインタフェースの電源オフ状態」は、例えばExpiresヘッダの数値又はContactヘッダのexpiresパラメータに記述する。これら値には、一定の範囲の数値を記述することができるが、一般に使用されないような特定数値を、「無線ＬＡＮインタフェースの電源オフ状態」／「無線ＬＡＮインタフェースの電源オン状態」に規定することができる。「登録要求」を受信したＩＰ−ＰＢＸ１０は、登録応答(200OK)を、移動端末２０へ返信する。
【００３６】
（Ｓ２０４）ここで、移動端末２０は、無線ＬＡＮインタフェースの電源を自動的にオフにする。その後、ＤＨＣＰのリース期間よりも短いExpires値の期間だけ、電源オフの状態を維持する。
【００３７】
（Ｓ２０５）移動端末２０は、Expires値の期間が経過する前に、再び、無線ＬＡＮインタフェースの電源をオンにする。
（Ｓ２０６）移動端末２０は、構内ＬＡＮ１に接続されたアクセスポイント１４を発見し、無線アソシエーションによって無線リンクを確立する。
（Ｓ２０７）移動端末２０は、アクセスポイント１４を介して、ＩＰ−ＰＢＸ１０へ、「無線ＬＡＮインタフェースの電源オフ状態」を含む「登録要求」を送信する。これに対し、ＩＰ−ＰＢＸ１０は、登録応答(200OK)を返信する。
（Ｓ２０８）ここで、移動端末２０は、再び、無線ＬＡＮインタフェースの電源を自動的にオフにする。
【００３８】
（Ｓ２０９）その後、ＤＨＣＰのリース期間がタイムアウトする前に、移動端末２０は、無線ＬＡＮインタフェースの電源をオンにする。
（Ｓ２１０）移動端末２０は、構内ＬＡＮ１に接続されたアクセスポイント１４を発見し、無線アソシエーションによって無線リンクを確立する。
（Ｓ２１１）移動端末２０は、アクセスポイント１４を介して、ＤＨＣＰサーバ１３へ、アドレス更新要求を送信し、更なるＤＨＣＰリース期間の延長を要求する。
【００３９】
図３は、本発明における呼接続待受シーケンス図である。
【００４０】
（Ｓ３０１）発呼端末２１が、着呼端末となる移動端末２０へ向けて発呼したとする。このとき、例えばSIP INVITEが、ルータ１１を介して、ＩＰ−ＰＢＸ１０によって受信される。その応答として、ＩＰ−ＰＢＸ１０は、100Tryingを返信する。これによって、ＩＰ−ＰＢＸ１０は、発呼端末からの着呼を受け付ける。
【００４１】
（Ｓ３０２）ＩＰ−ＰＢＸ１０は、着呼端末２０における無線ＬＡＮインタフェースのオフが登録されている場合、当該着呼の呼接続を保留する。
【００４２】
（Ｓ３０３）次に、ＩＰ−ＰＢＸ１０は、携帯電話網に接続されたセンタプッシュサーバ２２へ、移動端末２０向けの呼を発呼する。この呼は、具体的にはショートメッセージである。また、ショートメッセージには、発信者情報を組み込むこともできる。着呼者に対して、発呼者を明示することができる。
【００４３】
（Ｓ３０４）センタプッシュサーバ２２は、ＩＰ−ＰＢＸ１０からショートメッセージを受信すると、移動端末２０に対して、そのメッセージをプッシュ的に送信する。
【００４４】
（Ｓ３０５）ショートメッセージを受信した移動端末２０は、ＩＰ−ＰＢＸ１０に着呼があったと把握し、無線ＬＡＮインタフェースの電源をオンにする。そして、移動端末２０は、構内ＬＡＮ１に接続されたアクセスポイント１４を発見し、無線アソシエーションによって無線リンクを確立する。
【００４５】
（Ｓ３０６）移動端末２０は、アクセスポイント１４を介して、ＩＰ−ＰＢＸ１０へ、「無線ＬＡＮインタフェースの電源オン状態」を含む「登録要求」を送信する。この応答として、ＩＰ−ＰＢＸ１０は、移動端末２０へ登録応答(200OK)を返信する。これによって、ＩＰ−ＰＢＸ１０は、移動端末２０が着呼可能な状態になったことを把握する。
【００４６】
（Ｓ３０７）ＩＰ−ＰＢＸ１０は、Ｓ３０２における保留呼を解除し、呼接続要求となるSIP INVITEを、移動端末２０へ送信する。これに応答して、移動端末２０は、100Trying及び180Ringingを返信する。ＩＰ−ＰＢＸ１０は、180Ringingを、ルータ１１を介して発呼端末２１へ向けて送信する。また、移動端末２０は、200OKをＩＰ−ＰＢＸ１０へ送信し、ＩＰ−ＰＢＸ１０は、その200OKメッセージを、ルータ１１を介して発呼端末２１へ向けて送信する。ＩＰ−ＰＢＸ１０は、発呼端末２１からACKを受信すると、ACKを移動端末２０へ向けて送信する。
【００４７】
（Ｓ３０８）これによって、ＩＰ−ＰＢＸ１０は、発呼端末２１と移動端末２０との間で、呼接続を完了する。
【００４８】
尚、図２及び図３のような本発明の処理をすることなく、移動端末２０が、常に無線ＬＡＮインタフェースの電源をオンにしておく場合には、登録要求（電源オン）を、ＩＰ−ＰＢＸ１０へ送信しておけばよい。
【００４９】
図４は、本発明における障害発生時のシーケンス図である。
【００５０】
図４によれば、Ｓ３０１〜Ｓ３０４までは、図３と全く同様である。図４には、Ｓ３０４の後、通信障害が発生した場合のシーケンスが表されている。この場合の通信障害としては、例えばセンタプッシュサーバ２２が送信したセンタプッシュ呼が、移動端末２０によって受信されなかった場合、又は、移動端末２０が送信したSIP REGISTERがＩＰ−ＰＢＸ１０によって受信されなかった場合等がある。
【００５１】
ＩＰ−ＰＢＸ１０は、Ｓ３０２で着呼を保留した際に、タイマを起動して、通信障害認定時間を計測する。このタイマは、着呼保留を解除するＳ３０８（図３参照）時に停止される。従って、着呼を保留してから、その解除をする前に、通信障害認定時間がタイムアウトした場合、通信障害発生と判定される。
【００５２】
ＩＰ−ＰＢＸ１０は、通信障害発生と判定した場合、携帯電話網（広域通信ネットワーク）を介して移動端末２０へ発呼するか、又は、予め規定された留守番電話制御を実行する。
【００５３】
図５は、本発明における構内交換装置及び着呼端末の機能構成図である。
【００５４】
構内交換装置１は、ＬＡＮインタフェース１０１と、登録要求受信部１０２と、着呼受付部１０３と、着呼保留部１０４と、発呼部１０５と、呼接続部１０６、着呼不可処理部１０７とを有する。ＬＡＮインタフェース１０１を除いて、これら機能構成部は、サーバに搭載されたコンピュータを機能させる構内交換用プログラムを実行することによって実現される。
【００５５】
登録要求受信部は、ＬＡＮインタフェース１０１を介して、移動端末２０から無線ＬＡＮインタフェースの電源オン／オフ状態を含む登録要求を受信する。登録要求は、例えばSIP REGISTERメソッドであり、電源オン状態及び電源オフ状態は、Expiresヘッダの数値又はContactヘッダのexpiresパラメータに記述される。電源オン／オフ状態は、着呼保留部１０４へ出力される。
【００５６】
着呼受付部１０３は、広域通信ネットワークを経由した発呼端末からの呼を、ＬＡＮインタフェース１０１から受け付ける。受け付けた呼は、着呼保留部１０４へ通知する。
【００５７】
着呼保留部１０４は、登録要求が無線ＬＡＮインタフェースの電源オフ状態を含む場合、当該着呼を保留し、登録要求が無線ＬＡＮインタフェースの電源オン状態を含む場合、保留している着呼を解除する。また、着呼保留部１０４は、着呼を保留した後、所定時間以上、移動端末から電源オン状態を含む登録要求を受信しなかった場合、着呼不可と判定する。着呼不可と判定された際に、その旨を、着呼不可処理部１０７へ通知する。
【００５８】
発呼部１０５は、着呼を保留した際に、広域通信ネットワークを経由するべく移動端末２０へ発呼する。ここで、発呼部１０５は、ショートメッセージによるセンタープッシュによって呼を送信する。
【００５９】
呼接続部１０６は、着呼の保留を解除した際に、移動端末と発呼端末との間で呼接続させる。
【００６０】
着呼不可処理部１０７は、広域通信ネットワークを経由するべく移動端末へ発呼するか、又は、予め規定された留守番電話制御や音声応答制御を実行する。
【００６１】
移動端末２０は、広域通信ネットワークに接続する広域通信インタフェース２０１と、構内ＬＡＮに接続する無線ＬＡＮインタフェース２０２と、電源制御部２０３と、着呼受付部２０４と、登録要求送信部２０５と、ユーザインタフェース部２０６と、電源オフ指示部２０７と、電源オン指示部２０８と、呼接続処理部２０９とを有する。広域通信インタフェース２０１及び無線ＬＡＮインタフェース２０２を除いて、これら機能構成部は、移動端末に搭載されたコンピュータを機能させるプログラムを実行することによって実現される。
【００６２】
電源制御部２０３は、無線ＬＡＮインタフェース２０２の電源をオン／オフする。
【００６３】
着呼受付部２０４は、セルラ（広域）通信ネットワークを介して広域通信インタフェースによってＩＰ−ＰＢＸ１０から当該呼を受け付ける。当該呼は、ショートメッセージであってもよい。着呼した旨は、電源オン指示部２０８へ通知される。
【００６４】
登録要求送信部２０５は、無線ＬＡＮインタフェース２０２を用いて無線ＬＡＮインタフェースの電源オン／オフ状態を含む登録要求を、ＩＰ−ＰＢＸ１０へ送信する。
【００６５】
ユーザインタフェース部２０６は、無線構内ＬＡＮに接続可能となった際に、無線ＬＡＮインタフェースの電源オフを利用者に操作させる。
【００６６】
電源オフ指示部２０７は、ユーザインタフェース部２０６に電源オフが操作された際に、登録要求送信部２０５へ電源オフ状態を含む登録要求を送信するべく指示し、電源制御部２０３へ電源オフを指示する。
【００６７】
電源オン指示部２０８は、着呼受付部２０４によって当該呼が受け付けられた際に、電源制御部２０３へ電源オンを指示する。
【００６８】
以上、詳細に説明したように、本発明の着呼待受方法、構内交換装置、移動端末及びプログラムによれば、移動端末は、無線ＬＡＮインタフェースの電源をオフにしていても、着呼時にその電源をオンにすることができるので、低消費電力で呼接続を待ち受けることができる。
【００６９】
本発明によれば、移動端末は、ＳＩＰサーバ（構内交換装置）への登録や通話中以外、無線ＬＡＮインタフェースの電源をオフにしておくことができる。ＳＩＰサーバに着呼があれば、その着信セッションを保留したまま、携帯電話網を経由して、着呼端末へショートメッセージで着呼を通知する。着呼端末は、無線ＬＡＮインタフェースの電源をオンにし、ＳＩＰサーバへSIP REGISTERを送信することによって、保留されているセッションを確立する。これにより、従来技術のようなコールバックを不要とする。
【００７０】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００７１】
【図１】本発明におけるシステム構成図である。
【図２】本発明における登録シーケンス図である。
【図３】本発明における呼接続待受シーケンス図である。
【図４】本発明における障害発生時のシーケンス図である。
【図５】本発明における構内交換装置及び着呼端末の機能構成図である。
【符号の説明】
【００７２】
１  構内ＬＡＮ
１０  ＩＰ−ＰＢＸ、構内交換装置
１０１  ＬＡＮインタフェース
１０２  登録要求受信部
１０３  着呼受付部
１０４  着呼保留部
１０５  発呼部
１０６  呼接続部
１０７  着呼不可処理部
１１  ルータ
１２  メディアゲートウェイ
１３  ＤＨＣＰサーバ
１４  アクセスポイント
２  広域通信ネットワーク、携帯電話網、インターネット、公衆回線網
２０  移動端末、着呼端末
２０１  広域通信インタフェース
２０２  無線ＬＡＮインタフェース
２０３  電源制御部
２０４  着呼受付部
２０５  登録要求送信部
２０６  ユーザインタフェース部
２０７  電源オフ指示部
２０８  電源オン指示部
２１  発呼端末
２２  センタプッシュサーバ
【図１】
2010021661.tif 000003
【図２】
2010021661.tif 000004
【図３】
2010021661.tif 000005
【図４】
2010021661.tif 000006
【図５】
2010021661.tif 000007